(57)【要約】【課題】吸気口から取り入れられ、排気口から昇温した空気を排出する、発熱量の大きい発熱素子を内蔵する機器用筐体において、排気口から排出される排気の温度むらを抑制し、排気口の局所加熱を防止することができる機器用筐体を提供する。【解決手段】外気を取り入れる吸気口と、内部を通過することによって昇温した空気を外部に排出する排気口と、排気口の風上側近傍に配置されて、排気口を通過する前に昇温した空気の熱を分散する均熱部材とを備えた機器用筐体。均熱部材は、前記排気口と概ね同形状の熱伝導性に優れた部材からなっている。均熱部材の少なくとも一部に熱的に接続されたヒートパイプを備えている。【選択図】図１
2009026894.tif 000002
【特許請求の範囲】
【請求項１】
外気を取り入れる吸気口と、
内部を通過することによって昇温した空気を外部に排出する排気口と、
前記排気口の風上側近傍に配置されて、前記排気口を通過する前に前記昇温した空気の熱を分散させる均熱部材とを備えた機器用筐体。
【請求項２】
前記均熱部材は、前記排気口と概ね同形状の熱伝導性に優れた部材からなっていることを特徴とする、請求項１に記載の機器用筐体。
【請求項３】
前記均熱部材が、それ自体の表面積を大きくする加工を施された部分を備えていることを特徴とする、請求項２に記載の機器用筐体。
【請求項４】
前記均熱部材が、前記排気口の側面に対応する側面部を備え、前記排気口との間に所定の間隙を隔てて前記排気口に取り付けられることを特徴とする、請求項２または３に記載の機器用筐体。
【請求項５】
前記均熱部材の少なくとも一部に熱的に接続されたヒートパイプを備えていることを特徴とする、請求項２から４の何れか１項に記載の機器用筐体。
【請求項６】
第二均熱部材を前記吸気口の内側近傍に備え、前記均熱部材と前記第二均熱部材とを熱的に接続していることを特徴とする、請求項２から５の何れか１項に記載の機器用筐体。
【請求項７】
均熱部材と前記第二均熱部材とをヒートパイプ、または金属製やグラファイト製等の伝熱部材によって熱的に接続していることを特徴とする、請求項６に記載の機器用筐体。
【請求項８】
前記伝熱部材が、金属格子板、スリットを備えた伝熱部材、または、複数の円形部分を穿孔した伝熱部材からなっていることを特徴とする、請求項２から７の何れか１項に記載の機器用筐体。
【発明の詳細な説明】
【技術分野】
【０００１】
この発明は、外気を取り込み、内蔵されている各種発熱素子を冷却し、昇温した空気を排気口から排出する機器用筐体に関し、特に排気口を形成する部材の局所加熱、排気の温度むらを抑制する機器用筐体に関する。
【背景技術】
【０００２】
基板に搭載されるＣＰＵ、素子等の発熱量、発熱密度が増大し、これらを収納する機器用筐体の内部を効率的に冷却することが求められている。この種の筐体では、一方の側面に外気を取り入れる吸気口が設けられて、冷たい空気が吸気口を通って筐体内に内蔵された発熱素子の間に流れる。発熱素子の間を流れる空気は、発熱素子の熱によって温度が上昇し、筐体の吸気口と反対側の排気口から筐体外部に排出される。
【０００３】
図８は、従来の機器用筐体を説明する図である。図８(a)および（ｂ）に示すように、筐体１００内に基板１０５が内蔵されている。筐体１００には外気を取り入れる吸気口１０１および筐体内の空気を排出するための排気口１０２がそれぞれ設けられている。基板１０５には複数個の発熱量の大きい発熱素子１０６が搭載されている。筐体の中にはその他に図示しない発熱素子が内蔵されている。発熱素子１０６に一方の端部が熱的に接続され、他方の端部に放熱フィン部１０８が熱的に接続されたヒートパイプ１０７が設けられている。放熱フィン部１０８は金属製のベースプレートに複数枚の薄板フィンが並列して配置されて接合されている。筐体内の中央部分に配置された発熱素子の熱がヒートパイプによって筐体の排気口近傍に配置された放熱フィン部に移動される。
【０００４】
筐体の一方の側面に設けられた吸気口１０１から矢印１０３に示すように冷たい外気が取り入れられて、筐体１００の中を流れ、ヒートパイプ１０７によって発熱素子１０６から熱が移動された放熱フィン部１０８を通過して温度が上昇する。このように温度が上昇した空気が排気口１０２から矢印１０４に示すように筐体外に排出される。吸気口１０１から取り入れられた外気は、筐体内の部品の間を縫って複数の経路を経て筐体内の熱によって昇温した状態で排気口から排出される。
【特許文献１】特開２００１−５７４９２号公報
【発明の開示】
【発明が解決しようとする課題】
【０００５】
上述したように、吸気口から取り入れられた冷たい外気が、複数の経路を経由して筐体内の発熱素子等の熱によって高温になり、昇温した空気が直接排気口１０２を通って排出されると、放熱フィンの近傍等において局所的に排気温度が高くなったり、排気口の一部が高温の空気によって加熱されるという状態が起きることがある。
【０００６】
従って、この発明の目的は、吸気口から取り入れられ、排気口から昇温した空気を排出する、発熱量の大きい発熱素子を内蔵する機器用筐体において、排気口から排出される排気の温度むらを抑制し、排気口の局所加熱を防止することができる機器用筐体を提供することにある。
【課題を解決するための手段】
【０００７】
発明者は従来の問題点を解決するため、鋭意研究を重ねた。その結果筐体の側面に設けられた排気口の風上側に熱伝導性に優れたたとえば格子状の金属製の板材を均熱部材として配置すると、筐体内の複数の経路を経由して排気口まで流れてきた局部的に高温の空気が金属製の板材に当り、金属製の板材の全体にわたって高温の空気の熱が分散して均熱化された後、排気口から筐体外に排出されるので、排気の温度むらおよび排気口が局部的に高温になることが抑制されることが判明した。なお、ここで均熱化とは、完全な均熱状態を意味するのではなく、空気の熱が分散して排気の温度むらが抑制されることをいう。
【０００８】
更に、均熱部材が、それ自体の表面積を大きくする加工、たとえば、エンボス加工、ルーバー、グルーブを施された部分を備えていると、より均熱効果が高まることが判明した。この発明は、上述した研究結果によってなされたものである。
【０００９】
この発明の機器用筐体の第１の態様は、外気を取り入れる吸気口と、内部を通過することによって昇温した空気を外部に排出する排気口と、前記排気口の風上側近傍に配置されて、前記排気口を通過する前に前記昇温した空気の熱を分散させる均熱部材とを備えた機器用筐体である。
【００１０】
この発明の機器用筐体の第２の態様は、前記均熱部材は、前記排気口と概ね同形状の熱伝導性に優れた部材からなっていることを特徴とする機器用筐体である。
【００１１】
この発明の機器用筐体の第３の態様は、前記均熱部材が、それ自体の表面積を大きくする加工を施された部分を備えていることを特徴とする機器用筐体である。
【００１２】
この発明の機器用筐体の第４の態様は、前記均熱部材が、前記排気口の側面に対応する側面部を備え、前記排気口との間に所定の間隙を隔てて前記排気口に取り付けられることを特徴とする機器用筐体である。
【００１３】
この発明の機器用筐体の第５の態様は、前記均熱部材の少なくとも一部に熱的に接続されたヒートパイプを備えていることを特徴とする機器用筐体である。
【００１４】
この発明の機器用筐体の第６の態様は、第二均熱部材を前記吸気口の内側近傍に備え、前記均熱部材と前記第二均熱部材とを熱的に接続していることを特徴とする機器用筐体である。
【００１５】
この発明の機器用筐体の第７の態様は、均熱部材と前記第二均熱部材とをヒートパイプまたは伝熱部材伝熱部材によって熱的に接続していることを特徴とする機器用筐体である。
【００１６】
この発明の機器用筐体の第８の態様は、前記伝熱部材が、金属格子板、スリットを備えた伝熱部材、または、複数の円形部分を穿孔した伝熱部材からなっていることを特徴とする機器用筐体である。
【発明の効果】
【００１７】
この発明の機器用筐体によると、筐体内を循環して、発熱素子から発せられる熱によって高温になって、排気口に向かって流れてきた空気の熱は、均熱部材によって分散されて、温度が低下した状態で、排気口を通過する。従って、たとえ、筐体内を循環して、発熱素子から発せられる熱によって昇温した空気が高温であっても、均熱部材本体によって均熱化されて温度が低下する。その結果、排気口に直接当って排気口周辺を過度に加熱し、あるいは高温の空気が排気口を通って筐体外に直接排出されることはない。
均熱部材と排気口との間を全周にわたって覆う周側面部を使用するので、均熱部材と排気口との間の間隙から高温の空気が流れ込み、排気口およびその周辺の一部に、局部的に熱い空気が当り加熱状態になることはない。従って、高温の空気が排気口から直接排出されることを確実に抑制することができる。
【発明を実施するための最良の形態】
【００１８】
この発明の機器用筐体を図面を参照しながら説明する。
図１にこの発明の機器筐体の１つの態様の断面図を示す。
この発明の機器用筐体の１つの態様は、外気を取り入れる吸気口８と、内部を通過することによって昇温した空気を外部に排出する排気口９と、排気口の風上側近傍に配置されて、排気口を通過する前に、基板１５に搭載された発熱素子１６、放熱フィン部１８、それらを熱的に接続するヒートパイプ１７等を通過して昇温した空気の熱を分散させる均熱部材１とを備えた機器用筐体１１である。均熱部材は、排気口と概ね同形状の熱伝導性に優れた部材からなっている。なお、均熱部材は、排気口の全体にわたって取り付けられる必要は無く、一部分に取り付けられていてもよい。
【００１９】
図２は、この発明の機器用筐体における均熱部材の１つの態様を説明する斜視図である。この発明の機器用筐体は、以下に説明する均熱部材を備えている筐体のすべてである。
図２に示すように、この発明の１つの態様の均熱部材１は、熱伝導性に優れたたとえば金属製の均熱部材本体２からなっており、均熱部材本体２には複数の穿孔３が形成されている。更に、均熱部材本体２には取り付け用肩部４が備えられている。図２に示す均熱部材１は、矢印の方向に排気口に取り付けられる。穿孔３の数およびそれらの大きさは、穿孔を通過する高温の空気の熱が均熱部材によって拡散される機能を発揮することができれば、特に限定されない。大小の大きさの穿孔を組み合わせてもよい。
【００２０】
吸気口から取り入れられた冷たい外気は、筐体内の一部に取り付けられたファンによって筐体内を循環して、発熱素子から発せられる熱によってたとえば高温になって、排気口に向かって流れていく。排気口の筐体内の風上側には、図１に示す均熱部材１が配置され、排気口の一部に取り付け用肩部４によって取り付けられている。高温の空気の一部は、均熱部材本体２に直接当り、均熱部材本体２の全体にわたって熱が伝わり、空気の温度が低下する。
【００２１】
更に、高温の空気の一部は均熱部材本体２に形成された穿孔を通過する。穿孔を通過する際に孔の周辺部の金属に同様に熱が伝わる。このようにして、筐体内を循環して、発熱素子から発せられる熱によって高温になって、排気口に向かって流れてきた空気の熱は、均熱部材本体２によって分散され、温度が低下した状態で、排気口を通過する。
【００２２】
従って、たとえ、筐体内を循環して、発熱素子から発せられる熱によって昇温した空気が高温であっても、均熱部材本体によって熱が分散されて温度が低下する。その結果、排気口に直接当って排気口周辺を過度に加熱したり、高温の空気が排気口を通って筐体外に直接排出されることはない。図２に示した均熱部材は、矩形の均熱部材本体に複数の穿孔を施して形成されている。しかしながら、均熱部材の形状は矩形に限定されることはなく、排気口の形状に対応して、適宜選定することができる。
【００２３】
なお、穿孔の形状も円形に限定されることなく、三角形、四角形、多角形等適宜選択することができる。穿孔の大きさは、孔部を通過する高温の空気から孔部周辺部に熱が伝わりやすく、且つ、排気口からの空気の排気を容易にするものであればよい。均熱部材を排気口に取り付けるための取り付け用肩部の形状、大きさ、および、数は、排気口の形状および大きさに対応して、適宜選定することができる。
【００２４】
図６は排気口の風上側に取り付けられた均熱部材による空気の流れを説明する部分拡大断面図である。図６に示すように、空気が通過する穿孔３等を備えた均熱部材１が、取り付け用肩部４によって排気口６に取り付けられている。筐体５の側壁部に設けられた排気口６には、空気が排出されるスリット７等が設けられている。
【００２５】
吸気口から取り入れられた冷たい外気は、筐体５内の一部に取り付けられたファンによって筐体内を循環して、発熱素子から発せられる熱によって昇温して高温の空気となり、符号番号５１に示すように、金属製の均熱部材１に当る。その一部は符号番号５２に示すように、均熱部材１の穿孔部３を通過後、排気口６のスリット７等を通って筐体外に排出される。金属製の均熱部材１に当った空気はその後、均熱部材１の穿孔部３を通過後、排気口６のスリット７等を通って筐体外に排出される。
【００２６】
高温の空気は、金属製の均熱部材１に当ったとき、および、均熱部材１の穿孔部３を通過時に、均熱部材１に熱を移動して、温度が低下する。それ以外に、金属製の均熱部材１の周囲をすり抜けて、排気口６のスリット７等を通って筐体外に排出される空気の流れがある。この空気の流れも、金属製の均熱部材１の周囲をすり抜けるときに、金属製の均熱部材１に熱を移動して温度が低下する。このようにして、筐体内を循環して、発熱素子から発せられる熱によって昇温した高温の空気の熱は、金属製の均熱部材１によって拡散されて均熱化する。その結果、排気口６の一部が、局部的に熱い空気によって加熱されることは回避される。また、排気口６から高温の空気が直接吹き出されることも抑制される。
【００２７】
図３は、この発明の機器用筐体における均熱部材の他の１つの態様を説明する斜視図である。
図３に示すように、この発明の他の１つの態様の均熱部材１０は、熱伝導性に優れたたとえば金属製の均熱部材本体１２からなっており、均熱部材本体１２には複数のスリット１３が形成されている。更に、均熱部材本体１２には、排気口への取り付け用肩部１４が備えられている。取り付け用肩部の数および大きさは均熱部材の大きさによって適宜設定することができる。図３に示す均熱部材１０は、矢印の方向に排気口に取り付けられる。スリット１３の数およびそれらの大きさは、スリットを通過する高温の空気の熱が均熱部材によって拡散される機能を発揮することができれば、特に限定されない。大小の幅の大きさのスリットを組み合わせてもよい。
【００２８】
この態様の均熱部材を使用したときの冷却空気の流れについて説明する。吸気口から取り入れられた冷たい外気は、筐体内の一部に取り付けられたファンによって筐体内を循環して、発熱素子から発せられる熱によってたとえば高温になって、排気口に向かって流れていく。排気口の筐体内の風上側には、図３に示す複数のスリットを備えた均熱部材１０が配置され、排気口の一部に、取り付け用肩部１４によって取り付けられている。高温の空気の一部は、均熱部材本体１２に直接当り、均熱部材本体１２の全体にわたって熱が伝わり、空気の温度が低下する。
【００２９】
更に、高温の空気の一部は均熱部材本体１２に形成された複数のスリット１３を通過する。スリット１３を通過する際にスリットの周辺部の金属に同様に熱が伝わる。このようにして、筐体内を循環して、発熱素子から発せられる熱によって高温になって、排気口に向かって流れてきた空気の熱は、均熱部材本体１２によって分散され、温度が低下した状態で、排気口を通過する。
【００３０】
従って、たとえ、筐体内を循環して、発熱素子から発せられる熱によって昇温した空気が高温であっても、均熱部材本体によって均熱化されて温度が低下するので、排気口に直接当って排気口周辺を過度に加熱したり、高温の空気が排気口を通って筐体外に直接排出されることはない。図３に示した均熱部材は、縦方向のスリットが複数個並列して配置されているので、スリットを通る空気の流れは容易である。スリットの数、大きさは、排気口の形状に対応して、適宜選定するが、スリットの数および、大きさは、スリットを通過する高温の空気からスリット周辺部に熱が伝わりやすく、且つ、排気口からの空気の排気を容易にするものであればよい。
【００３１】
図４は、この発明の機器用筐体における均熱部材の他の１つの態様を説明する斜視図である。
図４に示すように、この発明の他の１つの態様の均熱部材２０は、格子状の熱伝導性に優れたたとえば金属製の均熱部材本体２２からなっており、均熱部材本体２２には格子を形成する複数の開口２３を備えている。更に、均熱部材本体２２には、他の態様において使用した排気口への取り付け用肩部の代わりに、均熱部材と排気口との間を全周にわたって覆う周側面部２４が備えられている。勿論、周側面部の代わりに他の態様において使用したと同じように、取り付け用肩部を使用してもよい。
【００３２】
均熱部材と排気口との間を全周にわたって覆う周側面部２４を使用することによって、均熱部材と排気口との間の間隙から高温の空気が流れ込み、排気口およびその周辺の一部に、局部的に熱い空気が当り加熱状態になること、および、高温の空気が排気口から直接排出されることを確実に抑制することができる。
【００３３】
周側面部２４の幅（風上方向の長さ）は、排気口から排出される空気の量、排気口と均熱部材との間の間隙の大きさを考慮して、適宜設定することができる。図４に示す均熱部材２０は、矢印の方向に排気口に取り付けられる。均熱部材本体２２の格子を形成する複数の開口２３の数およびそれらの大きさは、開口を通過する高温の空気の熱が均熱部材によって拡散される機能を発揮することができれば、特に限定されない。
【００３４】
この態様の均熱部材を使用したときの冷却空気の流れについて説明する。吸気口から取り入れられた冷たい外気は、筐体内の一部に取り付けられたファンによって筐体内を循環して、発熱素子から発せられる熱によってたとえば高温になって、排気口に向かって流れていく。排気口の筐体内の風上側には、図４に示す複数のスリットを備えた均熱部材２０が配置され、排気口を覆うように取り付けられている。高温の空気の一部は、均熱部材本体２２に直接当り、均熱部材本体２２の全体にわたって熱が伝わり、空気の温度が低下する。
【００３５】
更に、高温の空気の一部は均熱部材本体２２に形成された複数の開口２３を通過する。開口２３を通過する際に開口の周辺部の金属に同様に熱が伝わる。このようにして、筐体内を循環して、発熱素子から発せられる熱によって高温になって、排気口に向かって流れてきた空気の熱は、均熱部材本体２２によって分散され、温度が低下した状態で、排気口を通過する。
【００３６】
従って、たとえ、筐体内を循環して、発熱素子から発せられる熱によって昇温した空気が高温であっても、均熱部材本体によって均熱化されて温度が低下するので、排気口に直接当って排気口周辺を過度に加熱したり、高温の空気が排気口を通って筐体外に直接排出されることはない。図４に示した均熱部材は、全周を周側面部によって覆われているので、昇温した空気の全てが均熱部材に当って均熱部材との間に熱移動が行われる。周側面部を設ける他に、均熱部材の側面を覆うように部材を絞り、曲げ、または、バーリング加工等によって立ち上げてもよい。
【００３７】
図５はこの発明の機器用筐体における均熱部材の他の１つの態様を説明する斜視図である。
図５に示す態様の均熱部材は、表面積を拡大するためにエンボス加工を備えた熱伝導性に優れた金属製の均熱部材３０からなっている。即ち、均熱部材本体３２は、表面積を拡大するためにエンボス加工３５および穿孔３３を備えている。更に、均熱部材本体３２には、他の態様において使用したと同様に、排気口への取り付け用肩部３４が備えられている。取り付け用肩部３４の代わりに、図４を参照して説明したように、周側面部の代わりに他の態様において使用したと同じように、均熱部材と排気口との間を全周にわたって覆う周側面部を使用してもよい。
【００３８】
この態様の均熱部材によると、均熱部材本体３２には、表面積を拡大するためのエンボス加工３５が施されているので、高温の空気が当ると、高温の空気と均熱部材との間で熱の移動が容易になり、筐体内を循環した空気を均熱化することが容易になる。
吸気口から取り入れられた冷たい外気は、筐体内の一部に取り付けられたファンによって筐体内を循環して、発熱素子から発せられる熱によってたとえば高温になって、排気口に向かって流れていく。排気口の筐体内の風上側には、図５に示すエンボス加工および穿孔を備えた均熱部材３０が配置されているので、高温の空気の一部は、均熱部材本体３２に直接当り、効率よく均熱部材本体３２の全体にわたって熱が伝わり、空気の温度が低下する。
【００３９】
更に、高温の空気の一部は均熱部材本体３２に形成された複数の穿孔３３を通過する。穿孔３３を通過する際に開口の周辺部の金属に同様に熱が伝わる。このようにして、筐体内を循環して、発熱素子から発せられる熱によって高温になって、排気口に向かって流れてきた空気の熱は、均熱部材本体３２によって分散され、温度が低下した状態で、排気口を通過する。
【００４０】
均熱部材本体の表面積を拡大するために、エンボス加工の他、ルーバー、グルーブ等を、均熱部材本体に施してもよい。更に、均熱部材の均熱機能を向上するため、均熱部材に対して着色し、また、良熱伝導体の蒸着をしてもよい。
【００４１】
図７は、この発明の機器用筐体における均熱部材の他の１つの態様を説明する斜視図である。
図７に示す態様においては、図４を参照して説明した態様の均熱部材にヒートパイプ４５が熱的に接続されている。即ち、均熱部材４０は、格子状の熱伝導性に優れたたとえば金属製の均熱部材本体４２からなっており、均熱部材本体４２には格子を形成する複数の開口４３を備えている。この態様の均熱部材は、排気口が大きくて、大きい均熱部材を使用する場合に適しており、均熱化をより一層効果的にするために、ヒートパイプ４５を均熱部材に熱的に接続して、高温の熱を均熱部材の全体に速やかに拡散する。ヒートパイプ４５を接続した以外は、図４を参照して説明した態様の均熱部材と概ね同一である。
【００４２】
ヒートパイプは、真空脱気した密閉金属管などの容器内の内部に、凝縮性の流体を作動流体として封入したものであり、温度差が生じることにより自動的に動作し、高音部で蒸発した作動流体が低温部に流動して放熱・凝縮することにより、作動流体の潜熱として熱輸送する。
【００４３】
ヒートパイプの内部には作動流体の流路となる空間が設けられ、その空間に収容された作動流体が、蒸発、凝縮等の相変化や移動をすることによって、熱の移動が行われる。ヒートパイプの吸熱側において、ヒートパイプを構成する容器の材質中を熱伝導して伝わってきた被冷却部品が発する熱により、作動流体が蒸発し、その蒸気がヒートパイプの放熱側に移動する。放熱側においては、作動流体の蒸気は冷却され再び液相状態に戻る。このように液相状態に戻った作動流体は再び吸熱側に移動（還流）する。このような作動流体の相変態や移動によって熱の移動が速やかに行われる。
【００４４】
均熱部材の形状は、図７に示す形状に限定されることはなく、既に説明した形状の均熱部材にヒートパイプを熱的に接続させればよい。
更に、均熱効果および冷却効果を高めるために、図示しないが、第二均熱部材を筐体の吸気口の内側近傍に備え、均熱部材と第二均熱部材とを熱的に接続してもよい。その際には、均熱部材と第二均熱部材とをヒートパイプまたは伝熱部材によって熱的に接続することが好ましい。
【００４５】
上述したように、この発明の機器用筐体によると、筐体内を循環して、発熱素子から発せられる熱によって高温になって、排気口に向かって流れてきた空気の熱は、均熱部材によって分散され、温度が低下した状態で、排気口を通過する。従って、たとえ、筐体内を循環して、発熱素子から発せられる熱によって昇温した空気が高温であっても、均熱部材本体によって均熱化されて温度が低下する。その結果、排気口に直接当って排気口周辺を過度に加熱し、あるいは高温の空気が排気口を通って筐体外に直接排出されることはない。
【図面の簡単な説明】
【００４６】
【図１】図１は、この発明の機器筐体の１つの態様の断面図である。
【図２】図２は、この発明の機器用筐体における均熱部材の１つの態様を説明する斜視図である。
【図３】図３は、この発明の機器用筐体における均熱部材の他の１つの態様を説明する斜視図である。
【図４】図４は、この発明の機器用筐体における均熱部材の他の１つの態様を説明する斜視図である。
【図５】図５はこの発明の機器用筐体における均熱部材の他の１つの態様を説明する斜視図である。
【図６】図６は排気口の風上側に取り付けられた均熱部材による空気の流れを説明する部分拡大断面図である。
【図７】図７は、この発明の機器用筐体における均熱部材の他の１つの態様を説明する斜視図である。
【図８】図８は従来の機器用筐体を説明する図である。
【符号の説明】
【００４７】
１  均熱部材
２  均熱部材本体
３  穿孔
４  取り付け用肩部
５  筐体
６  排気口
７  スリット
８  吸気口
９  排気口
１０  均熱部材
１１  筐体
１２  均熱部材本体
１３  スリット
１４  取り付け用肩部
１５  基板
１６  発熱素子
１７  ヒートパイプ
１８  放熱フィン部
２０  均熱部材
２２  均熱部材本体
２３  開口
２４、４４  周側面部
３０、４０  均熱部材
３２、４２  均熱部材本体
３３、４３  穿孔
３４  取り付け用肩部
３５  エンボス加工
４５  ヒートパイプ
【図１】
2009026894.tif 000003
【図２】
2009026894.tif 000004
【図３】
2009026894.tif 000005
【図４】
2009026894.tif 000006
【図５】
2009026894.tif 000007
【図６】
2009026894.tif 000008
【図７】
2009026894.tif 000009
【図８】
2009026894.tif 000010